(57)【要約】【課題】専用部材を用いることなく防滴対象部材を防滴でき簡易な、撮像装置における防滴構造を提供する。【解決手段】撮像装置(91)における防滴構造(BK)は、撮像素子(1a)を有する本体部(1)と、本体部(1)に設けられ別部材(7)を装着する装着部(11)と、装着部(11)の本体部(1)の使用状態における鉛直方向の下部に設けられた防滴対象部材(13)と、を有する。防滴構造(BK)は、装着部(11)に別部材(7)が装着された状態で、別部材(7)と装着部(11)における別部材(7)と対向する背面(11b)との間に隙間(Sm)が形成されると共に、背面(11b)に別部材(7)に向け上方を凸とする形状に突出する誘導リブ(11h)と、を有し、誘導リブ(11h)の左右両端部の位置が防滴対象部材(13)の左右両端部の位置よりも外側にある。【選択図】図２
2020126196.tif 000002
【特許請求の範囲】
【請求項１】
撮像素子を有する本体部と、
前記本体部に設けられ別部材を装着する装着部と、
前記装着部の、前記本体部の使用状態における鉛直方向の下部に設けられた防滴対象部材と、を有し、
前記装着部に前記別部材が装着された状態で、前記別部材と前記装着部における前記別部材と対向する背面との間に隙間が形成されると共に、前記背面に前記別部材に向け上方を凸とする形状に突出する誘導リブと、
を有し、
前記誘導リブの左右両端部の位置が、前記防滴対象部材の左右両端部の位置よりも外側にある撮像装置における防滴構造。
【請求項２】
前記背面における前記誘導リブの左右両外側に、それぞれ鉛直方向に延び前記装着部に装着された前記別部材に向け突出する一対の縦リブを、前記誘導リブと離隔して有することを特徴とする請求項１記載の撮像装置における防滴構造。
【請求項３】
前記装着部において、前記防滴対象部材よりも鉛直方向下方に配置された底面と、前記底面に形成された鉛直方向下方へ抜ける排出口と、を有することを特徴とする請求項１又は請求項２記載の撮像装置における防滴構造。
【発明の詳細な説明】
【技術分野】
【０００１】
本発明は、撮像装置における防滴構造に係る。
【背景技術】
【０００２】
特許文献１には、撮像装置に取り付けられる付属部品の取付部の防滴構造が記載されている。特許文献１に記載された防滴構造は、撮像装置に付属部品を取り付ける取付部の周囲を、防滴カバーで覆い、撮像装置から付属部品への電気信号を伝達するための接点部材を、雨水などの水滴から保護するようになっている。
【先行技術文献】
【特許文献】
【０００３】
【特許文献１】特開２００７−１５６２１６号公報
【発明の概要】
【発明が解決しようとする課題】
【０００４】
特許文献１に記載された防滴構造は、撮像装置において防滴対象部材となる接点部材を水滴などから保護するために、取付部を覆う専用部材としての防滴カバーが必要で構造も複雑である。
そのため、専用の部材を用いることなく、防滴対象部材を水滴から保護して防滴とする簡易な構造が望まれている。
【０００５】
そこで、本発明が解決しようとする課題は、専用部材を用いることなく防滴対象部材を防滴でき簡易な、撮像装置における防滴構造を提供することにある。
【課題を解決するための手段】
【０００６】
上記の課題を解決するために、本発明は次の構成を有する。
１）  撮像素子を有する本体部と、
前記本体部に設けられ別部材を装着する装着部と、
前記装着部の、前記本体部の使用状態における鉛直方向の下部に設けられた防滴対象部材と、を有し、
前記装着部に前記別部材が装着された状態で、前記別部材と前記装着部における前記別部材と対向する背面との間に隙間が形成されると共に、前記背面に前記別部材に向け上方を凸とする形状に突出する誘導リブと、
を有し、
前記誘導リブの左右両端部の位置が、前記防滴対象部材の左右両端部の位置よりも外側にある撮像装置における防滴構造である。
【発明の効果】
【０００７】
本発明によれば、専用部材を用いることなく簡易に防滴対象部材を防滴できる、という効果が得られる。
【図面の簡単な説明】
【０００８】
【図１】図１は、本発明の実施の形態に係る撮像装置の防滴構造の実施例である防滴構造ＢＫを有する撮像装置９１の斜視図である。
【図２】図２は、防滴構造ＢＫにおけるバッテリ装着部１１を示す撮像装置９１の後面図である。
【図３】図３は、バッテリ装着部１１にバッテリ７を装着した状態を示す断面図である。
【図４】図２に示される防滴構造ＢＫにおける水滴の流れを説明する一部断面の後面図である。
【発明を実施するための形態】
【０００９】
本発明の実施の形態に係る撮像装置における防滴構造を、実施例の防滴構造ＢＫ及びそれを備えた撮像装置９１により説明する。
【００１０】
（実施例）
図１は、防滴構造ＢＫ及びそれを備えた撮像装置９１を示す右後ろ斜め下方から見た斜視図であり、図２は、撮像装置９１の後面図である。
以下、説明の便宜のため、撮像装置９１の前後左右上下の各方向を、図１に示した矢印で規定する。前方は撮像する被写体側となる。
また、下は、重力方向である鉛直方向の下を意味する。
【００１１】
図１に示されるように、撮像装置９１は、撮像素子１ａを有する本体部１と本体部１の前部に取りつけられたレンズ部２とを有する。
本体部１の後部には、別部材であるバッテリ７を装着するバッテリ装着部１１が、前方に向けて抉られ上下方向に延びる凹部として設けられている。
図３は図２におけるＳ３−Ｓ３位置での部分断面図であり、バッテリ装着部１１にバッテリ７を装着した状態を示す図である。
【００１２】
図２に示されるように、バッテリ装着部１１は、上側から、ロック部材１１ｃと、左右一対の３組である係合部１１ｄ，１１ｅ,１１ｆと、第１誘導リブ１１ｈと、第２誘導リブ１１ｊと、左右一対の縦リブ１１ｍ，１１ｍと、雄側端子部１３と、保護リブ１１ｋと、を有する。
【００１３】
ロック部材１１ｃは、図３に示される付勢部材１１ｃ１によって、通常は後方に付勢されて、バッテリ装着部１１の背面１１ｂから後方に突出した状態にある。
ロック部材１１ｃは、本体部１において、バッテリ装着部１１の左上に配置された図１及び図２に示されるリリースボタン１２を、使用者が付勢部材１１ｃ１の付勢力に抗して押すことで本体部１内に埋没する。
【００１４】
２組の係合部１１ｄ，１１ｅは、図３に示されるように、バッテリ装着部１１の左右側面の奥側（前側）に形成され、後方から上方に延びるＬ字状の突起として形成されている。また、係合部１１ｆは、バッテリ装着部１１の左右側面の下部に形成され、上方に延び内側に突出した四角状の突起として形成されている。
【００１５】
一対の縦リブ１１ｍ，１１ｍは、バッテリ装着部１１の奥の面である背面１１ｂから後方に突出し上下に延びるリブである。
第１誘導リブ１１ｈは、背面１１ｂの上部のロック部材１１ｃの下方において、左右方向中央部が上方に凸の頂点となり、左右に向かうに従い下方へ傾斜する逆Ｖ字状に突出形成されている。
第２誘導リブ１１ｊは、背面１１ｂにおいて、第１誘導リブ１１ｈと同形状で第１誘導リブ１１ｈの下方に並設されている。
保護リブ１１ｋは、背面１１ｂにおいて、雄側端子部１３の上と左右とを囲むように下方が開放側となるコ字状に突出したリブである。
【００１６】
図１及び図３に示されるように、バッテリ７は、概ね四角柱状に形成され、一対の側面７ａに、バッテリ装着部１１の係合部１１ｄ，１１ｅ，１１ｆにそれぞれ係合する係合凹部７ｄ，７ｅ，７ｆを有する。
また、バッテリ７は、前下側の角部にバッテリ装着部１１の雄側端子部１３に接続可能な雌側端子部７１３が設けられている。
【００１７】
この構造により、バッテリ７は、リリースボタン１２を押し、ロック部材１１ｃを埋没させた状態で、図１に示される矢印ＤＲ７のように、本体部１の後方側からバッテリ装着部１１に対し前方に最奥まで進入させた後、下方に移動させることで装着される。この装着において、係合部１１ｄ〜１１ｆが係合凹部７ｄ〜７ｆに係合すると共に、雄側端子部１３にバッテリ７の雌側端子部７１３が係合する。
これにより、バッテリ７は、本体部１にしっかりと機械的に装着されると共に電気的にも接続される。
バッテリ７がバッテリ装着部１１に装着されると、ロック部材１１ｃが突出位置に復帰してバッテリ７の上方移動を規制する。これにより、バッテリ７の予期せぬ離脱が防止される。
【００１８】
図２に示されるように、防滴構造ＢＫにおいて、一対の縦リブ１１ｍ，１１ｍの左右方向の内側の間隔である幅Ｌ１と、保護リブ１１ｋの左右方向の最外の幅Ｌ２と、第１誘導リブ１１ｈ及び第２誘導リブ１１ｊの左右方向の幅Ｌ３とは、幅Ｌ１  ＞  幅Ｌ３  ＞  幅Ｌ２となっている。
また、幅Ｌ２の存在範囲は、幅Ｌ３の存在範囲に含まれている。すなわち、第１誘導リブ１１ｈ及び第２誘導リブ１１ｊの左端部は、雄側端子部１３の左端部よりも左方にあり、第１誘導リブ１１ｈ及び第２誘導リブ１１ｊの右端部は、雄側端子部１３の右端部よりも右方にある。
第１誘導リブ１１ｈ及び第２誘導リブ１１ｊと縦リブ１１ｍとの間は離隔して、水滴が自重で通過できる隙間Ｓｍ１が確保されている。
【００１９】
バッテリ７がバッテリ装着部１１に装着された状態で、バッテリ７の前面７ｃと、バッテリ装着部１１の背面１１ｂとの間には、隙間Ｓｍが生じるようになっている。隙間Ｓｍの前後方向の距離は、例えば０．３ｍｍである。
第１誘導リブ１１ｈ，第２誘導リブ１１ｊ，保護リブ１１ｋ，及び縦リブ１１ｍの突出高さは、隙間Ｓｍが０．３ｍｍの場合、例えば０．２ｍｍに設定される。
第１誘導リブ１１ｈ，第２誘導リブ１１ｊ，保護リブ１１ｋ，及び縦リブ１１ｍとバッテリ７の前面７ｃとの隙間は０．１ｍｍ程度に抑えられ、この程度の狭い隙間では水は自重で通過しない。図３において、各リブと前面７ｃとの隙間は微少寸法となるため描画を省略している。
【００２０】
バッテリ装着部１１の天井面１１ｇと、バッテリ装着部１１に装着されたバッテリ７の天面７ｂとの間には、バッテリ７の装着時及び取り外し時の、いわゆる移動しろとして空間Ｖａが形成されている。空間Ｖａは、撮像装置９１の後方の外部空間Ｖｇと連通している。
そのため、図３に示されるように、撮像装置９１を、例えば降雨中の屋外で使用すると、空間Ｖａには後方から雨粒Ｗが進入する場合ある。そして、雨粒Ｗの量が多く風が後方から前方に吹くと、多くの雨粒Ｗが結合して水溜まりＷａとなり、バッテリ７の前面７ｃと、前面７ｃと対向するバッテリ装着部１１の背面１１ｂとの間の隙間Ｓｍに、矢印ＤＲ１のように入り込んでしまう場合がある。
【００２１】
図４は、隙間Ｓｍに入り込んだ水の流れを、理解容易のため水滴状の水Ｗｃとして示したモデル図である。
隙間Ｓｍに上方から入り込んだ水Ｗｃは、自重により下方に移動するが、第１誘導リブ１１ｈの傾斜部分に達しその傾斜に従って左右いずれかに下る。
既述のように、第１誘導リブ１１ｈと縦リブ１１ｍとの間は離隔して、隙間Ｓｍ１が設けられているので、第１誘導リブ１１ｈの傾斜部分を下って端部に達した水Ｗｃは、端部に保持されるか下方に落下する。この下方への落下において、水Ｗｃは、バッテリ装着部１１の底面１１ｎに直接落下して達するか、縦リブ１１ｍに接触して縦リブ１１ｍに沿って底面１１ｎに向かい移動する。
【００２２】
第１誘導リブ１１ｈとバッテリ７の前面７ｃとの隙間が０．１ｍｍ程度の場合、通常、水Ｗｃは狭くて自重では通過できず、ほぼ全部が第１誘導リブ１１ｈに沿って左右に振り分けられ、底面１１ｎに達する。
一方、水Ｗｃが多量の場合や、風などによって内側へ向かう圧力が加わっている場合は、まれに微量の水Ｗｃが第１誘導リブ１１ｈと前面７ｃとの狭い隙間を通過して下方に移動する場合がある。
【００２３】
防滴構造ＢＫでは、第１誘導リブ１１ｈの下方に同様の第２誘導リブ１１ｊが設けられているので第１誘導リブ１１ｈと前面７ｃとの隙間を通過して下方移動した水Ｗｃ１も、第２誘導リブ１１ｊにより左右に振り分けられる。
従って、第１誘導リブ１１ｈ及び第２誘導リブ１１ｊの両方を通過して下方へ移動する水Ｗｃは実質的に存在しない。
【００２４】
仮に、予期せぬ理由により、第２誘導リブ１１ｊと前面７ｃとの間を通過して下方へ移動する水Ｗｃがあったとしても、防滴構造ＢＫは、雄側端子部１３の上及び左右を連続して囲う保護リブ１１ｋを有するので、水Ｗｃが雄側端子部１３に到達することは実質的に皆無である。
このように、防滴構造ＢＫ及びそれを備えた撮像装置９１は、専用部材を用いることなく簡易な構造で防滴対象部材である雄側端子部１３を防滴できる。
【００２５】
さらに、防滴構造ＢＫでは、バッテリ装着部１１の底面１１ｎにおいて、隙間Ｓｍ１の直下を含む範囲、又は直下の近傍範囲に、左右それぞれに貫通孔として下方へ抜ける排出口１１ｎ１，１１ｎ２が形成されている。
これにより、上方から移動して底面１１ｎに達した水Ｗｃは、ある程度溜まって水溜まりＷｂを形成するものの、排出口１１ｎ１，１１ｎ２を通して外部に排出される。
そのため、底面１１ｎに溜まった水で雄側端子部１３やそれに接続した雌側端子部７１３をショートさせることがない。
【００２６】
以上詳述した実施例は、上述の構成に限定されるものではなく、本発明の要旨を逸脱しない範囲において変形した変形例としてもよい。
【００２７】
第１誘導リブ１１ｈ及び第２誘導リブ１１ｊの形状は、逆Ｖ字状に限定されない。第１誘導リブ１１ｈ及び第２誘導リブ１１ｊの左右両端の左右方向の位置が、それぞれ防滴対象部材の左右両端よりも外側にあり、上方に凸の形状であって、上方から下方に移動して第１誘導リブ１１ｈ及び第２誘導リブ１１ｊに達した水Ｗｃが、第１誘導リブ１１ｈ及び第２誘導リブ１１ｊの左端及び右端のいずれかに向けて流れる形状であればよい。従って、第１誘導リブ１１ｈ及び第２誘導リブ１１ｊは、逆Ｖ字状のように直線の組み併せに限らず、逆Ｕ字状などのように曲線状でもよく、直線と曲線とを組み合わせた形状でもよい。
また、第１誘導リブ１１ｈ及び第２誘導リブ１１ｊの形状は、例えば階段状でもよく、左右対称形状でなくてもよい。
また、誘導リブとして第１誘導リブ１１ｈ及び第２誘導リブ１１ｊの２つを有する構成を説明したが、防滴構造ＢＫにおいて誘導リブは１つでもよく３つ以上設けてもよい。
防滴対象部材は、上述の雄側端子部１３のように電気接続をする部材に限定されない。
また、本体部１に装着される部材もバッテリ７に限定されない。
防滴構造ＢＫは、本体部１のあらゆる姿勢で防滴を発揮できるものではなく、撮像装置９１の使用状態での姿勢において、天気や場所などの外部環境によらず、防滴対象部材を防滴できるものである。
【符号の説明】
【００２８】
１  本体部
１ａ  撮像素子
１１  バッテリ装着部
１１ｂ  背面
１１ｃ  ロック部材
１１ｃ１  付勢部材
１１ｄ，１１ｅ，１１ｆ  係合部
１１ｇ  天井面
１１ｈ  第１誘導リブ
１１ｊ  第２誘導リブ
１１ｋ  保護リブ
１１ｍ  縦リブ
１１ｎ  底面
１１ｎ１，１１ｎ２  排出口
１２  リリースボタン
１３  雄側端子部
２  レンズ部
７  バッテリ
７１３  雌側端子部
７ａ  側面
７ｂ  天面
７ｃ  前面
７ｄ，７ｅ，７ｆ  係合凹部
９１  撮像装置
ＢＫ  防滴構造
Ｌ１，Ｌ２，Ｌ３  幅
Ｓｍ，Ｓｍ１  隙間
Ｖａ  空間
Ｖｇ  外部空間
Ｗ  雨粒
Ｗａ，Ｗｂ  水溜まり
Ｗｃ，Ｗｃ１  水
【図１】
2020126196.tif 000003
【図２】
2020126196.tif 000004
【図３】
2020126196.tif 000005
【図４】
2020126196.tif 000006